(57)【要約】  充電スタンドに保持される掃除機本体の被保持部が被清掃面に接触することを確実に抑制できる掃除機システムを提供する。掃除機システムは、充電式の掃除機本体２ａと、掃除機本体２ａを充電する充電スタンドとを備える。掃除機本体２ａのダクト部６は、ファンモーター、蓄電池及び塵埃分離部７を含む掃除機本体２ａの主要部分の前端の位置よりも前方へ突出するダクト突出部分６ａを有し、被保持部１０は、主要部分の前側に設けられ、ダクト突出部分６ａ及び掃除機本体２ａの主要部分に接する仮想の直線Ｇを母線として形成される仮想の線織面より内側の位置にある。
2016114038.tif 000002
【特許請求の範囲】
【請求項１】
充電式の掃除機本体と、
前記掃除機本体を充電する機能を有し、前記掃除機本体を支持する充電スタンドと、
を備え、
前記掃除機本体は、
吸引風を発生させるファンモーターと、
前記ファンモーターを駆動する電力を供給する蓄電池と、
吸引した空気及び塵埃を移送するダクト部と、
前記ダクト部の下流側で空気及び塵埃を分離する塵埃分離部と、
手で持つためのハンドル部と、
前記充電スタンドにより保持される被保持部と、
前記被保持部に設けられ、前記充電スタンドの充電端子に接触する充電端子と、
を有し、
前記ダクト部の先端側を前記掃除機本体の前とし、その反対側を前記掃除機本体の後ろとしたとき、前記ダクト部は、前記ファンモーター、前記蓄電池及び前記塵埃分離部を含む前記掃除機本体の主要部分の前端の位置よりも前方へ突出するダクト突出部分を有し、
前記被保持部は、前記主要部分の前側に設けられ、前記ダクト突出部分及び前記主要部分に接する仮想の直線を母線として形成される仮想の線織面より内側の位置にある掃除機システム。
【請求項２】
前記被保持部は、前記掃除機本体の左右方向の中央に位置する請求項１に記載の掃除機システム。
【請求項３】
前記被保持部は、前記ダクト部の外周面から突出する請求項１または請求項２に記載の掃除機システム。
【請求項４】
前記被保持部は、前記ダクト部と一体形成された部分を有し、当該部分が前記充電スタンドに接触する請求項１から請求項３のいずれか一項に記載の掃除機システム。
【請求項５】
前記塵埃分離部が前記掃除機本体の他の部分に対し着脱可能であり、前記被保持部は、前記塵埃分離部を固定する固定部と一体的に設けられている請求項１から請求項４のいずれか一項に記載の掃除機システム。
【請求項６】
前記充電スタンドは、前記掃除機本体の前記被保持部を保持する保持部を有し、
前記被保持部及び前記保持部の一方が穴部を有し、他方が前記穴部に挿入する凸部を有する請求項１から請求項５のいずれか一項に記載の掃除機システム。
【請求項７】
前記凸部の幅または断面積が前記凸部の先端に向かって連続的に減少するテーパー部を有する請求項６に記載の掃除機システム。
【請求項８】
前記テーパー部に前記充電端子が設けられている請求項７に記載の掃除機システム。
【請求項９】
前記凸部を前記穴部の中心側に案内するガイド面を有する請求項６から請求項８のいずれか一項に記載の掃除機システム。
【請求項１０】
前記塵埃分離部、前記ファンモーター、及び前記蓄電池は、前記掃除機本体の前から後ろに向かって、この順に並んでいる請求項１から請求項９のいずれか一項に記載の掃除機システム。
【請求項１１】
前記掃除機本体の前記主要部分の前部に、テーパー状の外形のテーパー形状部が形成され、
前記充電スタンドは、前記テーパー形状部を受け入れる形状の凹部を有し、
前記充電スタンドが前記掃除機本体を支持した状態のとき、前記掃除機本体の前記テーパー形状部が前記充電スタンドの前記凹部に入る請求項１から請求項１０のいずれか一項に記載の掃除機システム。
【請求項１２】
被清掃面より塵埃を吸引する吸口体と、前記吸口体と前記掃除機本体の前記ダクト部とを接続し、前記ダクト部に対し着脱可能なパイプとを備え、
前記吸口体及び前記パイプを前記掃除機本体に装着した状態で前記充電スタンドが前記掃除機本体を支持可能である請求項１から請求項１１のいずれか一項に記載の掃除機システム。
【請求項１３】
前記充電スタンドが前記掃除機本体を支持した状態で、床から前記被保持部までの高さは、前記掃除機システムの全高の１／２以上である請求項１から請求項１２のいずれか一項に記載の掃除機システム。
【発明の詳細な説明】
【技術分野】
【０００１】
本発明は、掃除機システムに関する。
【背景技術】
【０００２】
蓄電池で動くコードレスのスティック型電気掃除機（以下、「コードレススティッククリーナー」と称する）と、このコードレススティッククリーナーを専用の充電スタンドに置いておくことで蓄電池が充電されるように構成された掃除機システムが知られている（例えば、下記特許文献１参照）。そのような掃除機システムにおいて、充電スタンドに保持される被保持部がコードレススティッククリーナーに備えられ、その被保持部に充電端子が設けられたものがある。
【先行技術文献】
【特許文献】
【０００３】
【特許文献１】日本特開２００３−７０７０６号公報
【発明の概要】
【発明が解決しようとする課題】
【０００４】
コードレススティッククリーナーにおいて、ファンモーター、蓄電池、及び塵埃分離部がハンドル部に近い位置に配置され、ダクト部から延長管を取り外した状態でも使用できるものがある。ダクト部から延長管を取り外した状態で使用すると、掃除機本体が被清掃面に近くなり、被保持部が被清掃面に接触する可能性がある。被保持部が被清掃面に接触することで被保持部が変形した場合、充電時に充電端子が接触不良となる可能性がある。【０００５】
本発明は、上述のような課題を解決するためになされたもので、充電スタンドに保持される掃除機本体の被保持部が被清掃面に接触することを確実に抑制できる掃除機システムを提供することを目的とする。
【課題を解決するための手段】
【０００６】
本発明に係る掃除機システムは、充電式の掃除機本体と、掃除機本体を充電する機能を有し、掃除機本体を支持する充電スタンドと、を備え、掃除機本体は、吸引風を発生させるファンモーターと、ファンモーターを駆動する電力を供給する蓄電池と、吸引した空気及び塵埃を移送するダクト部と、ダクト部の下流側で空気及び塵埃を分離する塵埃分離部と、手で持つためのハンドル部と、充電スタンドにより保持される被保持部と、被保持部に設けられ、充電スタンド側の充電端子に接触する充電端子と、を有し、ダクト部の先端側を掃除機本体の前とし、その反対側を掃除機本体の後ろとしたとき、ダクト部は、ファンモーター、蓄電池及び塵埃分離部を含む掃除機本体の主要部分の前端の位置よりも前方へ突出するダクト突出部分を有し、被保持部は、主要部分の前側に設けられ、ダクト突出部分及び主要部分に接する仮想の直線を母線として形成される仮想の線織面より内側の位置にあるものである。
【発明の効果】
【０００７】
本発明の掃除機システムによれば、充電スタンドに保持される掃除機本体の被保持部が、ファンモーター、蓄電池及び塵埃分離部を含む掃除機本体の主要部分と、ダクト突出部分とに接する仮想の直線を母線として形成される仮想の線織面より内側の位置にあることで、被保持部が被清掃面に接触することを確実に抑制することが可能となる。
【図面の簡単な説明】
【０００８】
【図１】本発明の実施の形態１の掃除機システムを示す側面図である。
【図２】図１に示す掃除機システムが備える電気掃除機を示す斜視図である。
【図３】図１に示す掃除機システムが備える充電スタンドを示す斜視図である。
【図４】図１に示す掃除機システムの断面側面図である。
【図５】本発明の実施の形態１の掃除機本体を示す側面図である。
【図６】本発明の実施の形態１の掃除機本体の前側の一部を示す斜視図である。
【図７】本発明の実施の形態１における掃除機本体の被保持部と充電スタンドの保持部とが嵌合した状態を示す断面図である。
【図８】本発明の実施の形態１における掃除機本体の被保持部と充電スタンドの保持部とが嵌合する前の状態を示す断面図である。
【図９】本発明の実施の形態１における掃除機本体の被保持部と充電スタンドの保持部とが嵌合する前の状態を示す断面図である。
【図１０】本発明の実施の形態２の掃除機本体の前側の一部を示す斜視図である。
【図１１】本発明の実施の形態２の掃除機本体のダクト突出部分の先端を被清掃面に近づけて使用する状態を示す側面図である。
【図１２】本発明の実施の形態２の充電スタンドが備える保持部を示す斜視図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の掃除機システムを示す側面図である。図２は、図１に示す掃除機システム１が備える電気掃除機２を示す斜視図である。図３は、図１に示す掃除機システム１が備える充電スタンド３を示す斜視図である。図４は、図１に示す掃除機システム１の断面側面図である。
【００１１】
図１に示すように、本実施の形態１の掃除機システム１は、充電式（コードレス）のスティック型の電気掃除機２と、充電スタンド３とを備える。充電スタンド３は、電気掃除機２の非使用時（充電時）に電気掃除機２を支持する。充電スタンド３は、電気掃除機２を支持した状態のときに電気掃除機２を充電する機能を有する。以下の説明では、充電スタンド３が電気掃除機２を支持した状態（図１及び図４に示す状態）を「掃除機収納状態」と称する。本実施の形態１の充電スタンド３は、さらに、室内の空気を浄化する空気清浄機能を有する。充電スタンド３は、浄化された空気を排出する排気口３ｉを有する。本発明における充電スタンド３は、空気清浄機能を有しないものでも良い。
【００１２】
図２に示すように、電気掃除機２は、掃除機本体２ａと、被清掃面（床、絨毯、畳、布団等）より塵埃を吸引する吸口体２ｂと、掃除機本体２ａと吸口体２ｂとを接続するパイプ２ｃ（延長管）とを備える。掃除機本体２ａは、吸引風を発生させるファンモーター４と、ファンモーター４を駆動する電力を供給する蓄電池５と、吸引した空気及び塵埃を移送するダクト部６と、ダクト部６の下流側で空気及び塵埃を分離する塵埃分離部７と、手で持つためのハンドル部８と、ファンモーター４及び蓄電池５を覆う本体ケース９とを備える。ファンモーター４及び蓄電池５は、本体ケース９の内部に収納され、外観からは見えない。ダクト部６の形状は、直線的に延びる筒状である。パイプ２ｃの形状は、直線的に延びる筒状である。パイプ２ｃは、掃除機本体２ａのダクト部６の先端部と、吸口体２ｂとを接続する。パイプ２ｃは、ダクト部６の先端部に、着脱可能に連結される。パイプ２ｃをダクト部６に連結した状態で、パイプ２ｃ及びダクト部６は、一直線上に並ぶ。電気掃除機２は、吸口体２ｂとパイプ２ｃとの間に、関節部２ｄを有する。関節部２ｄにより、パイプ２ｃに対する吸口体２ｂの傾斜角度及び回転位置が可変になる。
【００１３】
以下の説明では、ダクト部６の先端側を掃除機本体２ａの前として定義する。ダクト部６の先端側と反対側（基端側）を掃除機本体２ａの後ろとして定義する。ファンモーター４、蓄電池５及び塵埃分離部７を含む部分を掃除機本体２ａの主要部分として定義する。また、吸口体２ｂ側を電気掃除機２の前として定義し、その反対側を電気掃除機２の後ろとして定義する。ダクト部６は、掃除機本体２ａの主要部分の前端の位置よりも前方へ突出するダクト突出部分６ａを有する。パイプ２ｃをダクト部６から取り外し、掃除機本体２ａのみで使用することもできる。すなわち、ダクト突出部分６ａの先端を被清掃面に近づけ、空気及び塵埃をダクト突出部分６ａの先端から直接吸引することもできる。ダクト突出部分６ａの先端に、例えば毛ブラシ（図示省略）のような吸口を取り付けて使用することもできる。
【００１４】
掃除機本体２ａの主要部分の外形は、円柱状である。塵埃分離部７の外形と、本体ケース９の外形とにより、掃除機本体２ａの主要部分の外形が形成される。塵埃分離部７の外形は、円柱状である。本体ケース９の外形は、円柱状である。塵埃分離部７の外形が呈する円柱状の直径と、本体ケース９の外形が呈する円柱状の直径とは、ほぼ等しい。以下の説明では、中心軸または長手方向に垂直な断面を「横断面」と称する。塵埃分離部７の横断面の外形と、本体ケース９の横断面の外形とは、大部分においてほぼ等しい形状（円形）である。塵埃分離部７の中心軸及び本体ケース９の中心軸は、ダクト部６の長手方向に対し平行である。塵埃分離部７の外形の中心軸と、本体ケース９の外形の中心軸とが一直線上になる。これにより、掃除機本体２ａの主要部分の太さをなるべく細くすることが可能となり、掃除機本体２ａ単体としての意匠性を向上できる。本体ケース９は、塵埃と分離された後の清浄な空気を掃除機本体２ａの外部へ排出する排気口９ａを有する。排気口９ａは、本体ケース９の外周面に形成される。排気口９ａは、ファンモーター４が収納された部分の本体ケース９の周方向に沿って、帯状に配置される。排気口９ａは、蓄電池５が収納された部分の前側に形成される。
【００１５】
ハンドル部８は、手で握ることのできる部分である。ハンドル部８の外形は、柱状である。ハンドル部８は、掃除機本体２ａの後部にある。ハンドル部８は、ダクト部６の長手方向に直線的に延びる。ハンドル部８は、ダクト部６を後方へ延長した仮想の延長線上に配置される。ハンドル部８は、ダクト部６と一直線上に並ぶ。
【００１６】
掃除機本体２ａは、掃除機収納状態のときに充電スタンド３により保持される被保持部１０を有する。被保持部１０には、充電端子１０ａが設けられる。充電端子１０ａは、掃除機収納状態のときに充電スタンド３側の充電端子３ｇに接触する。充電端子１０ａから、掃除機本体２ａ内に配設されるリード線（図示省略）を介して、蓄電池５へ給電可能である。被保持部１０は、掃除機本体２ａの左右方向の中央に位置する。被保持部１０は、ダクト部６の外周面から突出するように配置される。被保持部１０は、掃除機本体２ａの主要部分の前側に位置する。
【００１７】
掃除機本体２ａは、テーパー状の外形のテーパー形状部７ａを有する。テーパー形状部７ａは、掃除機本体２ａの主要部分の前部に形成される。テーパー形状部７ａの外径は、掃除機本体２ａの前方へ向かって漸減する。テーパー形状部７ａは、塵埃分離部７の一部として形成される。
【００１８】
図１に示すように、充電スタンド３は、掃除機本体２ａの前（ダクト部６の先端側）が下で、掃除機本体２ａの後ろ（ダクト部６の先端側と反対側）が上になる姿勢で、電気掃除機２を支持する。充電スタンド３は、土台部３ａ及び支柱部３ｂを有する。土台部３ａは、支柱部３ｂが直立状態になるように支柱部３ｂを支える。土台部３ａの底面は、床面に接触する。土台部３ａは、おおむね正方形または長方形の平面形状を有する。支柱部３ｂは、柱状の外形を有する。支柱部３ｂは、土台部３ａの中央領域から鉛直上方へ延びる。尚、土台部は、円形、楕円形等の、上記以外の形状でもよい。
【００１９】
図３に示すように、支柱部３ｂの外形は、円柱状である。支柱部３ｂの外形が呈する円柱状の直径と、掃除機本体２ａの主要部分（塵埃分離部７及び本体ケース９）の外形が呈する円柱状の直径とは、ほぼ等しい。支柱部３ｂの横断面の外形と、掃除機本体２ａの主要部分（塵埃分離部７及び本体ケース９）の横断面の外形とは、大部分においてほぼ等しい形状（円形）である。
【００２０】
支柱部３ｂの上部に、掃除機本体２ａのテーパー形状部７ａを受け入れる形状の凹部３ｃが形成されている。凹部３ｃの内面の少なくとも一部は、テーパー形状部７ａに接触する。凹部３ｃの少なくとも一部の内径は、テーパー形状部７ａの形状に対応したテーパー状に変化する。土台部３ａは、吸口体２ｂを載せる載置部３ｄを有する。載置部３ｄの上面は、土台部３ａの他の部分の上面より低い位置にある。電気掃除機収納状態のとき、電気掃除機２のパイプ２ｃ及びダクト突出部分６ａは、支柱部３ｂに沿って（並行して）配置される。支柱部３ｂは、パイプ２ｃ及びダクト突出部分６ａと対向する位置に、支柱部３ｂの長手方向に沿って延びる溝状凹部３ｅを有する。溝状凹部３ｅの長手方向に垂直な断面形状は、円弧状である。
【００２１】
掃除機収納状態のときに掃除機本体２ａの被保持部１０を保持する保持部３ｆが支柱部３ｂの上部に形成されている。保持部３ｆは、穴部を有する。被保持部１０は、保持部３ｆの穴部に挿入する凸部を有する。被保持部１０の凸部が保持部３ｆの穴部に挿入して嵌合することで、被保持部１０が保持部３ｆに保持される。掃除機収納状態のとき、被保持部１０が保持部３ｆに保持されることで、充電スタンド３に支持された電気掃除機２が安定する。掃除機本体２ａの被保持部１０が穴部を有し、充電スタンド３の保持部３ｆが当該穴部に挿入する凸部を有する構成にしても良い。
【００２２】
保持部３ｆには、充電端子３ｇが設けられる。掃除機収納状態のとき、掃除機本体２ａ側の充電端子１０ａが、充電スタンド３側の充電端子３ｇに接触することで、充電スタンド３から掃除機本体２ａへの給電経路がつながる。充電スタンド３は、商用電源等の外部の交流電源に接続される。充電スタンド３は、交流電力を直流電力に変換して充電端子３ｇに供給する電力変換回路を内蔵する。
【００２３】
本実施の形態１の掃除機システム１によれば、掃除機収納状態のとき、以下のようになる。
（１）支柱部３ｂと電気掃除機２とが組み合わされることで柱状の外観を有する直立形状部１１が形成される（図１参照）。これにより、電気掃除機２の非使用時（充電時）に、充電スタンド３と電気掃除機２とが一体となって意匠性に優れた外観をもたらすことが可能となる。このような掃除機システム１（充電スタンド３）は、例えばリビングルームなど、人の目に付く所での設置に適する。
（２）支柱部３ｂを上方へ仮想的に延長した空間に、掃除機本体２ａの主要部分が位置する。これにより、直立形状部１１の高さが支柱部３ｂの高さより高くなり、支柱部３ｂが上方へ伸びたような印象を視覚的に与えることが可能となる。その結果、より優れた意匠性が得られる。
（３）支柱部３ｂの上方に塵埃分離部７が位置し、塵埃分離部７の上方にファンモーター４が位置し、ファンモーター４の上方に蓄電池５が位置する。このように、支柱部３ｂ、塵埃分離部７、ファンモーター４、及び蓄電池５が鉛直方向に並ぶことで、直立形状部１１の太さを細くできる。よって、直立形状部１１を細長い形状にでき、より優れた意匠性が得られる。
（４）電気掃除機２の掃除機本体２ａのテーパー形状部７ａが、支柱部３ｂの上部の凹部３ｃに入る。電気掃除機２を充電スタンド３に載せるときに、テーパー形状部７ａの周面が凹部３ｃの縁に摺動することで、円形状である凹部３ｃの開口縁に倣い、掃除機本体２ａの主要部分の中心軸と、支柱部３ｂの中心軸とを容易に一致させることができる。これにより、電気掃除機２を充電スタンド３の正確な位置に容易に載せることができる。
（５）電気掃除機２の吸口体２ｂは、充電スタンド３の土台部３ａの載置部３ｄに載る。吸口体２ｂの上面と、土台部３ａの載置部３ｄ以外の部分の上面とが連なり、吸口体２ｂと土台部３ａとが視覚的に一体となった外観をもたらす。その結果、より優れた意匠性が得られる。
（６）電気掃除機２のパイプ２ｃ及びダクト突出部分６ａが、支柱部３ｂの溝状凹部３ｅと隙間を開けて対向する。充電スタンド３に対する電気掃除機２の着脱時に、パイプ２ｃ及びダクト突出部分６ａと、支柱部３ｂとが擦れ合うことを防止し、傷が付くことを防止できる。パイプ２ｃ及びダクト突出部分６ａの、支柱部３ｂと対向する表面が凸曲面（円筒面）であっても、上記の適度な隙間を形成できる。パイプ２ｃ及びダクト突出部分６ａの、支柱部３ｂと対向する表面を、凹曲面あるいは平面にする必要がないので、パイプ２ｃ及びダクト突出部分６ａの意匠性を良好にできる。
（７）電気掃除機２のパイプ２ｃ、ダクト部６、及びハンドル部８が鉛直方向に一直線上に並び、これらが直立形状部１１の一部を形成することで、より優れた意匠性が得られる。
【００２４】
掃除機収納状態において、支柱部３ｂの外周面と、掃除機本体２ａの主要部分（塵埃分離部７）の外周面との間に形成される継ぎ目１２（図１参照）の隙間または段差の大きさは、５ｍｍ以下が好ましく、３ｍｍ以下がより好ましい。このようにすることで、継ぎ目１２が目立たなくなり、直立形状部１１の意匠性を十分に良好にできる。吸口体２ｂ及びパイプ２ｃを掃除機本体２ａに装着した状態で充電スタンド３が掃除機本体２ａを支持可能であるので、ダクト部６からパイプ２ｃを取り外すことなく電気掃除機２を掃除機収納状態にでき、使い勝手が良い。
【００２５】
図４に示すように、電気掃除機２の吸口体２ｂには、回転する回転ブラシ２ｅが備えられている。塵埃分離部７は、吸引された空気及び塵埃を旋回させることで塵埃を分離する旋回室を有するサイクロン式のものである。ダクト部６の下流側は、塵埃分離部７の旋回室に連通する。サイクロン式の塵埃分離部７は、その外形が旋回室の形状に沿った円柱状になる。掃除機本体２ａの本体ケース９の外形及び充電スタンド３の支柱部３ｂの外形を、塵埃分離部７の外形に合わせた円柱状としたことで、直立形状部１１の太さをなるべく細くすることが可能となり、より優れた意匠性が得られる。ファンモーター４の回転軸は、本体ケース９の中心軸に一致する。一般に、ファンモーター４の外形は、回転体形状になる。回転体形状のファンモーター４を収納する本体ケース９の外形を円柱状にすることで、本体ケース９内にデッドスペースが形成されることを抑制でき、本体ケース９の太さを細くできる。本発明において、塵埃分離部７は、サイクロン式に限らず、紙パック式のものなどでも良い。
【００２６】
掃除機本体２ａの前から後ろに向かって（ダクト部６の先端側から基端側に向かって）、塵埃分離部７、ファンモーター４、及び蓄電池５がこの順に並んで配置されるので、掃除機本体２ａの主要部分の太さをなるべく細くすることが可能となる。また、このような配置により、以下の効果が得られる。掃除機本体２ａの前部に塵埃分離部７があるので、ダクト部６から塵埃分離部７への風路を短距離かつ単純に構成できる。塵埃分離部７とファンモーター４とが隣接することで、ファンモーター４が発生する吸引風を塵埃分離部７に直接作用させることができる。これらのことから、吸引風の風路を短距離かつ単純に構成できる。また、ダクト部６の長手方向に平行な方向から見たときに、塵埃分離部７の投影領域にファンモーター４及び蓄電池５が収まる。このことで、掃除機本体２ａの主要部分の太さをなるべく細くすることが可能となる。
【００２７】
充電スタンド３の支柱部３ｂには、吸気口３ｈが設けられている。吸気口３ｈと、土台部３ａに設けられた排気口３ｉとは、支柱部３ｂの内部空間を介して連通している。吸気口３ｈは、支柱部３ｂの、電気掃除機２のパイプ２ｃと対向する面と反対側に設けられている。土台部３ａの内部には、吸気口３ｈから吸入した空気を排気口３ｉへ送るファン３ｊと、ファン３ｊを駆動するモーター３ｋとが配置されている。支柱部３ｂの内部には、吸気口３ｈから吸入された空気が通過するフィルター３ｍが設けられている。フィルター３ｍは、吸気口３ｈから吸入された空気を浄化する。
【００２８】
ファン３ｊがモーター３ｋにより駆動されると、外部の空気が吸気口３ｈから吸入され、フィルター３ｍを通過し、排気口３ｉから外部空間へ放出される。掃除動作を行う際に空気中に塵埃が舞う場合がある。空気中に舞った塵埃を充電スタンド３の空気浄化機能によって取り除くことができるので、清掃後の室内の空気を有効に浄化することが可能となる。フィルター３ｍが汚れた場合には、電気掃除機２を用いてフィルター３ｍを容易に清掃できる。一般に、空気清浄機の周囲には気流の影響で塵埃が溜まりやすい。空気清浄機能を有する充電スタンド３の周囲に塵埃が溜まった場合、電気掃除機２を用いて手軽にこれを清掃できる。フィルター３ｍが支柱部３ｂの内部に配置され、フィルター３ｍに比べて重量の重いファン３ｊ及びモーター３ｋが土台部３ａの内部に配置されたことで、充電スタンド３が低重心化し、安定性が向上する。
【００２９】
掃除機収納状態において、床から、掃除機本体２ａの被保持部１０及び充電スタンド３の保持部３ｆまでの高さは、掃除機システム１の全高の１／２以上である。掃除機収納状態において、被保持部１０及び保持部３ｆの位置は、比較的高い位置になる。このため、使用者が充電スタンド３に電気掃除機２を置く動作をするときに、被保持部１０及び保持部３ｆを目視しやすいので、被保持部１０の位置を充電スタンド３の保持部３ｆの位置に合わせる動作をしやすい。
【００３０】
図５は、本実施の形態１の掃除機本体２ａを示す側面図である。図６は、本実施の形態１の掃除機本体２ａの前側の一部を示す斜視図である。図５及び図６に示すように、被保持部１０は、ダクト部６の外周面から突出する。これにより、掃除機本体２ａの主要部分に被保持部１０を設ける必要がないので、掃除機本体２ａの主要部分の意匠性を向上できる。被保持部１０は、前方に向かって突出する凸部を有する。この凸部は、凸部の幅または断面積が凸部の先端に向かって連続的に減少するテーパー部を有する。被保持部１０の凸部がテーパー部を有することで、掃除機収納状態のとき、被保持部１０の凸部が充電スタンド３の保持部３ｆの穴部に対して嵌合することができ、充電スタンド３に支持された掃除機本体２ａが安定する。被保持部１０の凸部のテーパー部に充電端子１０ａが配置されている。充電スタンド３の保持部３ｆの穴部に対して隙間無く嵌合可能なテーパー部に充電端子１０ａを配置することで、充電端子１０ａが、充電スタンド３側の充電端子３ｇにより確実に接触する。
【００３１】
図６に示すように、被保持部１０は、掃除機本体２ａの主要部分の前側に設けられる。本実施の形態１では、被保持部１０は、塵埃分離部７の前側に位置する。図６中の複数の直線Ｇは、ダクト突出部分６ａと、掃除機本体２ａの主要部分とに接する仮想の直線である。本実施の形態１では、直線Ｇは、ダクト突出部分６ａの先端開口の縁部と、掃除機本体２ａの塵埃分離部７とに接する。被保持部１０は、多数の直線Ｇを母線として形成される仮想の線織面より内側の位置にある。被保持部１０は、上記の仮想の線織面（仮想曲面）に当たらない位置にある。このような構成により、以下の効果がある。パイプ２ｃをダクト部６から取り外し、ダクト突出部分６ａの先端を被清掃面（平面とする）に近づけて掃除機本体２ａを使用する場合に、被保持部１０が被清掃面に接触することがない。特に、掃除機本体２ａを傾けてダクト突出部分６ａ及び塵埃分離部７をどのように被清掃面に接触させたとしても、被保持部１０が被清掃面に接触することがない。このため、清掃中に被保持部１０が被清掃面に接触して変形したりすることを確実に抑制できる。被保持部１０の変形等を確実に防止できるので、充電時に充電端子１０ａが接触不良となるようなことを確実に抑制できる。
【００３２】
被保持部１０は、掃除機本体２ａの左右方向の中央に位置する。これにより、掃除機本体２ａのシンメトリーを向上できるので、良好な意匠性が得られる。また、掃除機本体２ａを横に寝かせて使用したときにも、被保持部１０が被清掃面に接触することを確実に抑制できる。塵埃分離部７は、掃除機本体２ａの他の部分に対し着脱可能である。被保持部１０は、塵埃分離部７を固定する固定部１６と一体的に設けられている。固定部１６は、被保持部１０から後方へ突出する。固定部１６は、被保持部１０の凸部と反対の方向へ突出する。固定部１６が塵埃分離部７の端面に形成された凹部に嵌ることで、塵埃分離部７が固定される。被保持部１０と固定部１６とを一体的に設けることで、構造を簡素化しつつ、双方の強度を高くできる。
【００３３】
図７は、本実施の形態１における掃除機本体２ａの被保持部１０と充電スタンド３の保持部３ｆとが嵌合した状態を示す断面図である。図８及び図９は、本実施の形態１における掃除機本体２ａの被保持部１０と充電スタンド３の保持部３ｆとが嵌合する前の状態を示す断面図である。図８は、図７の状態から掃除機本体２ａを真上に少し持ち上げた状態を示す。図９は、図７の状態から掃除機本体２ａをやや斜め上に少し持ち上げた状態を示す。
【００３４】
充電スタンド３の保持部３ｆは、被保持部１０の凸部が挿入可能な穴部を有する。保持部３ｆの穴部は、被保持部１０のテーパー部に対応したテーパー形状を有する。保持部３ｆの穴部がテーパー形状を有することで、掃除機収納状態のとき、被保持部１０の凸部が保持部３ｆの穴部に対して隙間無く嵌合することができ、充電スタンド３に支持された掃除機本体２ａが安定する。また、図９に示すように、被保持部１０の凸部が保持部３ｆの穴部からやや斜め上の方向に出入りできるので、掃除機本体２ａを充電スタンド３に着脱する操作を容易に行うことができる。図８に示すように、充電スタンド３側の充電端子３ｇは、保持部３ｆのテーパー形状の穴部の内壁に配置されている。これにより、被保持部１０と保持部３ｆとが嵌合したとき、被保持部１０側の充電端子１０ａと、保持部３ｆ側の充電端子３ｇにより確実に接触する。
【００３５】
充電スタンド３の保持部３ｆの穴部の周囲には、ガイド面（斜面）３ｎが形成されている。ガイド面３ｎは、被保持部１０の凸部が保持部３ｆの穴部に挿入する方向に対して傾斜している。被保持部１０の凸部が保持部３ｆの穴部に挿入するとき、被保持部１０の凸部がガイド面３ｎに接触することで、被保持部１０の凸部が保持部３ｆの穴部の中心側に案内される。これにより、掃除機本体２ａを充電スタンド３に置くときに被保持部１０の凸部が保持部３ｆの穴部に容易に挿入できる。
【００３６】
被保持部１０は、ダクト部６と一体形成された部分である一体形成部１０ｂを有する。掃除機収納状態（図７の状態）のとき、被保持部１０の一体形成部１０ｂは、充電スタンド３に接触する。一体形成部１０ｂは、ダクト部６を構成する部材と一体に形成されていることで、高い強度を有する。掃除機本体２ａを充電スタンド３に置くときに、強度の高い一体形成部１０ｂが充電スタンド３に接触することで、被保持部１０の変形等をより確実に防止できる。
【００３７】
実施の形態２．
次に、図１０から図１２を参照して、本発明の実施の形態２について説明するが、上述した実施の形態１との相違点を中心に説明し、同一部分または相当部分は同一符号を付し説明を省略する。
【００３８】
図１０は、本発明の実施の形態２の掃除機本体２ａの前側の一部を示す斜視図である。図１０に示すように、本実施の形態２の掃除機本体２ａの被保持部１０は、穴部１０ｃを有する。穴部１０ｃの内壁に充電端子１０ｄが配置されている。
【００３９】
図１１は、本実施の形態２の掃除機本体２ａのダクト突出部分６ａの先端を被清掃面に近づけて使用する状態を示す側面図である。本実施の形態２の掃除機本体２ａでは、実施の形態１と同様に、ダクト突出部分６ａと、掃除機本体２ａの主要部分（塵埃分離部７）とに接する仮想の直線を母線として形成される仮想の線織面より内側の位置に被保持部１０がある。このため、図１１に示すような使用状態で、被保持部１０が被清掃面に接触することがないので、被保持部１０が被清掃面に接触して変形したりすることを確実に抑制できる。
【００４０】
図１２は、本実施の形態２の充電スタンド３が備える保持部３ｐを示す斜視図である。本実施の形態２の充電スタンド３は、実施の形態１の保持部３ｆ及び充電端子３ｇに代えて、図１２に示す保持部３ｐ及び充電端子３ｑを備える。図１２に示すように、保持部３ｐは、凸部を有する。保持部３ｐの凸部の側面に充電端子３ｑが設けられている。掃除機収納状態のとき、保持部３ｐの凸部が、被保持部１０の穴部１０ｃに挿入して嵌合することで、被保持部１０が保持部３ｐに保持される。これにより、充電スタンド３に支持された掃除機本体２ａが安定する。保持部３ｐの凸部が被保持部１０の穴部１０ｃに嵌合した状態では、被保持部１０側の充電端子１０ｄと保持部３ｐ側の充電端子３ｑとが接触することで、掃除機本体２ａと充電スタンド３とが電気的に接続される。以上、本発明の実施の形態について説明したが、本発明では、上述した複数の実施の形態の特徴を任意に組み合わせて実施することが可能である。
【符号の説明】
【００４１】
１  掃除機システム、２  電気掃除機、２ａ  掃除機本体、２ｂ  吸口体、２ｃ  パイプ、２ｄ  関節部、２ｅ  回転ブラシ、３  充電スタンド、３ａ  土台部、３ｂ  支柱部、３ｃ  凹部、３ｄ  載置部、３ｅ  溝状凹部、３ｆ  保持部、３ｇ  充電端子、３ｈ  吸気口、３ｉ  排気口、３ｊ  ファン、３ｋ  モーター、３ｍ  フィルター、３ｎ  ガイド面、３ｐ  保持部、３ｑ  充電端子、４  ファンモーター、５  蓄電池、６  ダクト部、６ａ  ダクト突出部分、７  塵埃分離部、７ａ  テーパー形状部、８  ハンドル部、９  本体ケース、９ａ  排気口、１０  被保持部、１０ａ  充電端子、１０ｂ  一体形成部、１０ｃ  穴部、１０ｄ  充電端子、１１  直立形状部、１２  継ぎ目、１６  固定部
【図１】
2016114038.tif 000003
【図２】
2016114038.tif 000004
【図３】
2016114038.tif 000005
【図４】
2016114038.tif 000006
【図５】
2016114038.tif 000007
【図６】
2016114038.tif 000008
【図７】
2016114038.tif 000009
【図８】
2016114038.tif 000010
【図９】
2016114038.tif 000011
【図１０】
2016114038.tif 000012
【図１１】
2016114038.tif 000013
【図１２】
2016114038.tif 000014
【国際調査報告】
2016114038.tif 000015
2016114038.tif 000016